(57)【要約】【課題】  ティッシュボックスを使用可能状態でうまく収納し得るようにする。【解決手段】  収納ボックス本体４の開口部６に開閉可能にアウターリッド８を設け、アウターリッド８の裏面側に開閉可能にインナーリッド１０を設け、インナーリッド１０の裏面にティッシュボックス１２を取付可能なボックス取付部１３を設けると共に、インナーリッド１０にティッシュボックス１２から引出したティッシュペーパーを取出可能なティッシュ取出口１６を設けるようにしている。【選択図】        図１
2005145095.tif 000002
【特許請求の範囲】
【請求項１】
収納ボックス本体の開口部に開閉可能にアウターリッドを設け、該アウターリッドの裏面側に開閉可能にインナーリッドを設け、該インナーリッドの裏面にティッシュボックスを取付可能なボックス取付部を設けると共に、前記インナーリッドにティッシュボックスから引出したティッシュペーパーを取出可能なティッシュ取出口を設けたことを特徴とする車両用収納ボックス構造。
【発明の詳細な説明】
【技術分野】
【０００１】
この発明は、車両用収納ボックス構造に関するものである。
【背景技術】
【０００２】
自動車などの車両には、車室内の前部にインストルメントパネルが設けられている。このインストルメントパネルには、各種の収納ボックスが設置されている（例えば、特許文献１参照）。
【特許文献１】特開２０００−０２５５２９号公報
【発明の開示】
【発明が解決しようとする課題】
【０００３】
しかしながら、従来の車両用収納ボックス構造では、ティッシュボックスを使用可能状態でうまく収納できるようなものは特に存在していなかった。
【課題を解決するための手段】
【０００４】
上記課題を解決するために、請求項１に記載された発明では、収納ボックス本体の開口部に開閉可能にアウターリッドを設け、該アウターリッドの裏面側に開閉可能にインナーリッドを設け、該インナーリッドの裏面にティッシュボックスを取付可能なボックス取付部を設けると共に、前記インナーリッドにティッシュボックスから引出したティッシュペーパーを取出可能なティッシュ取出口を設けた車両用収納ボックス構造を特徴としている。
【発明の効果】
【０００５】
請求項１の発明によれば、インナーリッドとアウターリッドを閉じた状態にすると、インナーリッドの裏面側に取付けた状態で収納ボックス本体にティッシュボックスを収納することができる。アウターリッドのみを開くと、インナーリッドのティッシュ取出口からティッシュペーパーを取出すことが可能となる。アウターリッドとインナーリッドとを同時に開くと、収納ボックス本体の内容物を取出すことができる。以上により、ティッシュボックスを使用可能状態でうまく収納することができる。
【発明を実施するための最良の形態】
【０００６】
ティッシュボックスを使用可能状態でうまく収納できるようにするという目的を、アウターリッドの裏面側に開閉可能にインナーリッドを設け、インナーリッドの裏面にティッシュボックスを取付可能なボックス取付部を設けると共に、インナーリッドにティッシュボックスから引出したティッシュペーパーを取出可能なティッシュ取出口を設ける、という手段で実現した。
【実施例】
【０００７】
以下、本発明を具体化した実施例について、図示例と共に説明する。
【０００８】
図１〜図５は、この発明の実施例を示すものである。
【０００９】
まず、構成を説明すると、自動車などの車両には、車室内の前部にインストルメントパネル１が設けられている。このインストルメントパネル１に、収納ボックス２を設置する。
【００１０】
この実施例のものでは、インストルメントパネル１に形成した開口部分３に、収納ボックス２の収納ボックス本体４を取付ける。この収納ボックス本体４の収納部４ａは、例えば、缶飲料５を収納し得るようなものとする。この実施例では、缶飲料５として、３５０ｍｌ缶が２本収容し得るようになっている。そして、インストルメントパネル１の開口部分３に、収納ボックス本体４の開口部６を位置させるようにする。
【００１１】
更に、収納ボックス本体４の開口部６に開閉可能にアウターリッド８を設ける。このアウターリッド８は、収納ボックス本体４の開口部６上縁に沿って設けられたヒンジ軸９を中心として上下に開閉可能に取付けられる。このアウターリッド８は、インストルメントパネル１と連続し得る形状を呈している。
【００１２】
また、アウターリッド８の裏面側に開閉可能にインナーリッド１０を設ける。インナーリッド１０は、上記ヒンジ軸９を利用して上下に開閉可能に取付けられる。このインナーリッド１０は、アウターリッド８と同軸に取付けられると共に、アウターリッド８の裏面側に収容され得る形状を有している。
【００１３】
そして、インナーリッド１０の裏面にティッシュボックス１２を取付可能なボックス取付部１３を設ける。このボックス取付部１３は、例えば、ティッシュボックス１２の両側面を保持可能な対の爪１４などとする。更に、インナーリッド１０にティッシュボックス１２から引出したティッシュペーパーを取出可能なティッシュ取出口１６を設ける。このティッシュ取出口１６は、ボックス取付部１３に取付けられたティッシュボックス１２のティッシュ取出口と対応する位置に設ける。
【００１４】
そして、ヒンジ軸９の部分などに、アウターリッド８を開方向へ付勢するコイルバネなどの弾性体１８を介装する。また、必要に応じて、ヒンジ軸９の部分などに、弾性体１８の弾性力を減衰してアウターリッド８の開速度を調整する図示しないダンパを設ける。インナーリッド１０の下縁部の両側部分に、収納ボックス本体４の下縁およびアウターリッド８の下縁に対する当りを緩衝するバンパーラバー１９を取付ける。アウターリッド８の下縁部とインナーリッド１０の下縁部との間に第１のロック部２１を設けると共に、インナーリッド１０の下縁部と収納ボックス本体４下縁との間の第１のロック部２１を避けた位置に第２のロック部２２を設ける。
【００１５】
なお、特に図示しないが、収納ボックス本体４の裏面や、アウターリッド８裏面側のインナーリッド１０との間の部分などに、収納部４ａを囲むように断熱材を設けることにより、収納ボックス２をクーラーボックスとすることができる。
【００１６】
次に、この実施例の作用について説明する。
【００１７】
収納ボックス２の使用に先立って、インナーリッド１０の裏面に対し、ボックス取付部１３を用いてティッシュボックス１２を取付けておく。この際、ティッシュボックス１２から引出したティッシュペーパーの先端をティッシュ取出口１６からインナーリッド１０の表面側へ引出しておく。更に、必要に応じて、収納ボックス２の内部に、冷やした缶飲料５などを収納しておく。
【００１８】
そして、図１に示すように、インナーリッド１０とアウターリッド８とを閉じた状態にすると、インナーリッド１０の裏面側に取付けた状態で収納ボックス本体４にティッシュボックス１２を収納することができる。
【００１９】
次に、図２、図３に示すように、第１のロック部２１を解除してアウターリッド８のみを開くと、インナーリッド１０のティッシュ取出口１６からティッシュペーパーを取出すことが可能となる。
【００２０】
更に、図４、図５に示すように、第２のロック部２２を解除してアウターリッド８とインナーリッド１０とを同時に開くと、収納ボックス本体４の内容物である缶飲料５などを取出すことができる。
【００２１】
以上により、ティッシュボックス１２を使用可能状態でうまく収納することができる。
【００２２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２３】
【図１】本発明の実施例にかかるアウターリッドを閉じた状態の側方断面図である。
【図２】アウターリッドのみを開いた状態の側方断面図である。
【図３】図２の斜視図である。
【図４】アウターリッドとインナーリッドとを開いた状態の側方断面図である。
【図５】図４の斜視図である。
【符号の説明】
【００２４】
４    収納ボックス本体
６    開口部
８    アウターリッド
１０  インナーリッド
１２  ティッシュボックス
１３  ボックス取付部
１６  ティッシュ取出口
【図１】
2005145095.tif 000003
【図２】
2005145095.tif 000004
【図３】
2005145095.tif 000005
【図４】
2005145095.tif 000006
【図５】
2005145095.tif 000007